(57)【要約】【課題】  測定器を収納する測定器の保護ケースを安価に提供でき、測定の作業性を向上させることができる測定器の保護ケースを提供する。【解決手段】  底壁１１と側壁１２とで囲まれた囲繞空間の収容部１４に測定器を収納し、この収容部１４の裏面に長手方向に伸長する板バネを内包するクリップ１５を取り付け、該クリップには、磁石１６が設けられ、保護ケースには、測定器に接続されるテストリードを保持する保持具１７、１８が設けられている。【選択図】      図２
2020003243.tif 000002
【特許請求の範囲】
【請求項１】
略長方形状の底壁と該底壁の外周縁部に立設された側壁とによって形成される囲繞空間に測定器を収容する収容部を備えた測定器の保護ケースであって、
前記底壁の裏面の中央部に、前記底壁の長手方向に伸長し板バネを内包するクリップが取り付けられ、
前記クリップには、磁石が設けられ、
前記測定器に接続されるテストリードのプローブ部を保持する保持具が設けられている
ことを特徴とする測定器の保護ケース。
【請求項２】
請求項１に記載の測定器の保護ケースにおいて、
前記クリップは、前記底壁の裏面と平行な状態と、前記長手方向の中央が押されるまたは両端が前記裏面から離れるように引かれると両端が前記裏面から離れて、円弧状に丸まる状態とをとる
ことを特徴とする測定器の保護ケース。
【請求項３】
請求項１または２に記載の測定器の保護ケースにおいて、
前記保持具は、前記底壁の裏面の前記クリップに沿って、または前記側壁の外周に設けられた
ことを特徴とする測定器の保護ケース。
【発明の詳細な説明】
【技術分野】
【０００１】
本発明は、回路計などの測定器の保護ケースに関する。
【背景技術】
【０００２】
携帯型の回路計などの測定器は、テストリードとともに持ち運ぶ必要があることから、通常、測定器とテストリードとが携帯に便利なような測定器の保護ケースが用いられている。
図１０は、このような保護ケースの一例である。図１０は、見開き状に連結された一側カバー部１ａと他側カバー部１ｂとで保護ケース１を形成し、一側カバー部１ａの側に測定器２とテストリード７とを支持させ、他側カバー部１ｂを閉じた状態にして携行できるようにした手帳型の保護ケースを示すものである。なお、この場合、テストリード７は、プローブ８に、ケーブル（コード）９を連結して形成されているため、プローブ８と略同長となるように、ケーブル９を折り返した状態にして、たとえば面ファスナーを備えたバンドのような止着具３を用いて止められる。
一方、図１１の保護ケースは、測定器２を収納する一側カバー１ａにテストリード７を収納できる収納部を設け、ここにテストリード７を収納するとともに、この収納部にテストリード７のケーブルを巻き付けてテストリードを収納する。
図１２は、測定器と別体の保護ケースではなく、測定器２の筐体の外周側部に溝を設け、この溝内にテストリード７のケーブル９を巻き付けて収容するものである。
【先行技術文献】
【特許文献】
【０００３】
【特許文献１】特開平１０−２０６４６１号公報
【特許文献２】特開２０１０−２８６３４８号公報
【発明の概要】
【発明が解決しようとする課題】
【０００４】
図１０に示す保護ケースでは、テストリードのケーブルを折り返して収納しなければならないので、ケーブルの収納が面倒であり、また、保護ケースや測定器との脱着が面倒である。
図１１に示す保護ケースでは、保護ケースにケーブルを巻き付けるので、ケースを閉じた状態でもケーブルが保護ケースの外に露出している。このため、作業中や作業のために携行しているときに、ケーブルが外部と接触して、ケーブルが傷つくおそれがある。
また、図１２の測定器本体にケーブルを巻き付けるものでは、測定器の筐体が傷つくおそれがあり、また、コンパクトさを保つために、ケーブルの長さを短くする必要がある。
【０００５】
さらに、携帯型の測定器は、必ずしも卓上で使用されるわけではなく、壁などに取り付けて測定したい場合も生ずる。たとえば、配電盤などで電圧を測定しようとするときに、測定器から手を離して測定したい場合があっても、測定器をたとえば配電盤の壁に取り付けるようなものがないと、測定器を手でもって測定せざるをえない場合がある。
また、見開き手帳方式の図１０に示される保護ケースに測定器が収納されている場合には、テストリードのプローブ部を保護ケースから突出させて保持する保持手段がないため、２本のテストリードのプローブ部を箸をもつように、右手で持ち、左手で保護ケースをもって測定するというようなことも行われていた。また、見開きの手帳型の保護ケースでは、一体成形で製造することは難しいので、その分、安価に製造できなかった。
【０００６】
本発明は上述の課題を解決するためのもので、測定器を磁気で吸着可能な壁などに吸着させて測定作業性を向上させた保護ケースを提供することを目的とする。また、床面等においても表示を読み取り易く、また、測定器のテストリードを容易に収納可能な測定器の保護ケースを提供することを目的とする。
【０００７】
本発明の第一の側面は、略長方形状の底壁と該底壁の外周縁部に立設された側壁とによって形成される囲繞空間に測定器を収容する収容部を備えた測定器の保護ケースであって、底壁の裏面の中央部に、底壁の長手方向に伸長し板バネを内包するクリップが取り付けられ、クリップには、磁石が設けられ、測定器に接続されるテストリードのプローブを保持する保持具が設けられていることを特徴とする。
【０００８】
本発明のクリップは、底壁の裏面と平行な状態と、長手方向の中央が押されるまたは両端が裏面から離れるように引かれると両端が裏面から離れて、円弧状に丸まる状態とをとることができる。また、保持具は、底壁の裏面のクリップに沿って、または側壁の外周に設けられることができる。
【発明の効果】
【０００９】
本発明によれば、壁などに保護ケースを固定して測定することが可能となる。また、１本のテストリードを一方の手に持ち、他方の手でテストリードを保持した測定器をもって測定する作業が可能である。さらに、机上等で用いるときは、測定器を傾斜した状態にしたまま作業が可能となる。
【図面の簡単な説明】
【００１０】
【図１】表面側からみた保護ケースの斜視図である。
【図２】裏面側からみた保護ケースの斜視図である。
【図３】保護ケースの上面図である。
【図４】測定器を収納した状態の斜視図である。
【図５】テストリードを収納した状態の裏面の斜視図である。
【図６】１本のテストリードを保持してプローブを突出させた状態の斜視図である。
【図７】板バネが丸まっている状態の斜視図である。
【図８】板バネを丸めて測定器を傾けている状態の側面図である。
【図９】ケーブルをクリップに巻き付けて固定した状態を示す図である。
【図１０】従来の手帳型保護ケースを示す図である。
【図１１】従来の手帳型保護ケースを示す図である。
【図１２】従来のテストリードのケーブルを収納する例を示す図である。
【発明を実施するための形態】
【００１１】
以下図面を参照して本発明に係る測定器の保護ケースの実施形態を説明する。
図１〜５は、本発明の一実施の形態に係る測定器の保護ケースを示すものであり、図１は、測定器を収容していない保護ケース１０の表面側からの斜視図であり、図２は、保護ケース１０の裏面側からの斜視図である。図３は、保護ケース１０を上面側からみた平面図である。図４は、測定器１００を収納した状態を示す斜視図である。図５は、テストリードを収納した状態を示す裏面からみた斜視図である。
なお、ここで、保護ケース１０の測定器１００が入れられる側、測定器１００が現れる側を表面、逆側を裏面と称する。また、測定器１００の表示部がある方向を保護ケースの上側とし、測定器１００の操作部がある方向を下側として、測定器１００を用いるときの視点に沿って上下という。
【００１２】
図１に示すように、本実施の保護ケース１０は、略矩形の底壁１１および底壁１１の外周縁部に立設される側壁１２が形成する平坦な立方形状の空間である収容部１３に測定器１００を収納する保護ケースである。側壁１２は、測定器１００が嵌まり込む高さをもち、内部に作る空間に測定器１００を保持する。この保護ケース１０の側壁１２の外周の一部、収容部１３の長辺側であって、測定器１００の下部側のテストリードのケーブルが挿入される位置の側部には、測定器１００に接続されるケーブルが挿通できる挿入孔１４が形成されている。
【００１３】
図２は、保護ケース１０の裏面を示す斜視図であり、裏面には、テストリードのプローブ部を保持する保持片とともに、この実施の形態の特徴でもあるクリップ１５が設けられている。クリップ１５は、金属製の板バネを内包するものであり、保護ケース１０の略長方形の長手方向に伸長する形状で、底壁１１の裏面の中央部に取り付けられている。このクリップ１５は、長手方向の中央部が底壁１１の裏面１１ｂに固定されるだけで、他は固定されていない。クリップ１５は、金属製の板バネを樹脂や繊維あるいはゴム等で覆ったものであり、何らかの力が加わらないときは、平坦であって、裏面１１ｂと平行な形状である。そして、クリップ１５の固定された中央部が押されたように力が加わるときは、バネ作用で丸まって両端が裏面１１ｂから離れ、クリップが円弧状に丸まることができる。また、両端を裏面１１ｂに付けるように押せばもとに戻る。
また、このクリップ１５の両端側には、それぞれ磁石１６ａ、１６ｂが設けられている。
【００１４】
収容部に測定器１００を保持したとき、底壁の裏面１１ｂの測定器１００の上側に当たる底壁の裏面１１ｂには、２本のテストリードのプローブ部２１、２２を保持する保持具である爪状の保持片１７ａ、１７ｂ、１８ａ、１８ｂが設けられている。保持片１７ａ、１７ｂ、１８ａ、１８ｂは、保護ケース１０の端部側に、短めの保持片１７ａ、１８ａが、中央よりに、保持片１７ａ、１８ａより長めの保持片１７ｂ、１８ｂが設けられている。保持片１７ａ、１７ｂ、１８ａ、１８ｂは、図２、図３に示すように、両側からテストリードのプローブ部２１、２２が嵌め込まれて係止できるよう、二つの爪状片が底壁の裏面１１ｂに立設された形状をなしており、爪状片が作る環状の空間に環状のプローブ部が嵌め込まれて保持される。
テストリードのプローブ部２１、２２を保持片１７ａ、１７ｂ、１８ａ、１８ｂに保持するときは、図５に示すように、テストリードのプローブ部２１、２２をそれぞれの保持片１７ａ、１７ｂ、１８ａ、１８ｂに嵌めることで、保持することができる。
【００１５】
以下図面を参照して、本実施の形態での保護ケースの使用例を説明する。
保護ケース１０は、図４に示すように、測定器１００を保護ケース１０の収容部１３の囲繞空間内に測定器１００を嵌めた状態で保持する。また、測定も保護ケース１０に測定器１００を収納し、テストリードのケーブルを測定器１００に接続した状態で行うことができる。テストリードは、携行する場合は、図５に示すように、保護ケース１０の底壁の裏面１１ｂの保持片１７ａ、１７ｂ、１８ａ、１８ｂにプローブ部２１、２２を保持しておく。測定する場所では、テストリードのプローブ部２１、２２を保持片１７ａ、１７ｂ、１８ａ、１８ｂから外して測定器１００にテストリードのケーブルを接続して測定を行う。なお、この図５ではテストリードのケーブルは図示を省略している。
【００１６】
使用例１（磁石で壁に取り付けて使用する例）
配電盤など、磁石が吸着する金属の壁が近くにあるような場所で測定する場合、保護ケース１０を壁に付けると、磁石１６ａ、１６ｂの作用により、保護ケース１０とともに、測定器１００も壁面に吸着された状態になる。壁に吸着されて固定しているときは、クリップは平坦であって、保持ケースの裏面と平行となっている。２本のテストリードのプローブ部２１、２２を裏面の保持片１７ａ、１７ｂ、１８ａ、１８ｂから外して壁面に取り付け、テストリードのケーブルを測定器１００に接続し、プローブ部２１、２２の先端を測定する測定対象体の端子に接触することで、測定対象体の端子間の電圧などの測定をすることができる。
このとき、測定器１００は、壁などに磁石で固定して使用しており、両手でそれぞれ１本のテストリードのプローブ部２１、２２をもって測定対象体の端子に当たることができるので、測定作業が簡便であり、また安全性が高く作業性が高い。また、測定器１００も縦方向に保持できるので、表示の読み取りもよりやさしい。
【００１７】
使用例２（１本のテストリードを保持させて使用する例）
図６に示すように１本のテストリードのプローブ部２２のバリア部を端部側の保持片１８ａに係止させることで、テストリードのプローブ部２２の接触子（ピン）の部分を保護ケース１０から突出した状態で保持することができる。このように１本のテストリードのプローブ部２２を保護ケース１０から突出した状態で保持し、保護ケース１０をもつ一方の手で測定対象体の端子にテストリードのプローブ部２２の接触子を接触させ、他方の手で測定対象体の他の端子にテストリードのプローブ部２１の接触子を接触させて、測定作業を行うことができる。このため、測定作業時の操作性がよい。特に、２本のテストリードを一方の手でもって測定するような作業は必要ない。
【００１８】
使用例３（測定器１００を傾けて使用する例）
図７に示すように、クリップ１５は、その中央部を押すことで、バネ作用により、両端が反って円弧状に丸まる。このため、図８に示すように、丸まったクリップ１５により、平面上に測定器１００を斜めに傾けておくことができ、しかも幅のあるクリップ１５によって支えられているので、安定して測定器を平面上におくことができる。これにより、机上に測定器１００を置いて測定作業を行うときは、測定器が斜めに置かれているため、測定作業も容易である。
【００１９】
使用例４（ケーブルの収納例）
クリップ１５が、図７のように、丸まった状態で、テストリードのケーブル２３をクリップ１５に巻き付けて、クリップのバネ作用により、クリップの両端をもとに戻すことにより、テストリードのケーブル２３を保護ケース１０に保持することができる。この状態を図９に示す。
図９に示すように、クリップ１５でテストリードのケーブルを保持し、保持片１７ａ、１７ｂ、１８ａ、１８ｂよりテストリードのプローブ部２１、２２を保持することで、携帯型の測定器１００をテストリードとともに携行することができる。
【００２０】
保護ケース１０は、射出成形などで一体成形できるので、安価に製造することが可能である。そして、保護ケース１０の材料は、樹脂製であれば、硬質でも軟質でもよいが、弾性および柔軟性を有する材料で形成されるのがより好ましい。たとえば、エラストマーあるいはシリコーン樹脂等により形成される。これにより、収容した測定器１００を衝撃から保護して、破損や故障を防止することができる。なお、テストリードのプローブ部２１、２２を保持する保持片１７、１８は、テストリードが嵌められる強度があればよいので、保護ケースの全体が柔軟性の材料であっても、保持片の部分のみ硬質の樹脂としてもよい。
【００２１】
上記実施の形態では、テストリードのプローブ部２１、２２を保持する保持片を保護ケース１０の裏面に設けたが、測定器を収納する収容部の左右の側壁に設けてもよい。このようにすれば、保護ケース１０の裏面のテストリードのプローブ部を保持する保持片の突出がないため、クリップの磁石の作用により、壁などに吸着する場合の障害が少なくなる。
【００２２】
なお、保護ケースは、上述のように、柔軟性ある材料で形成されているので、保護ケース裏面に設けた保持部がクリップ１５より突出していたとしても、クリップ１５が磁石１６の作用により壁に吸着されて取り付けられているときは、材料の柔軟性によりクリップ１５が取り付けられている部分が伸びるので、保持片１７ａ、１７ｂ、１８ａ、１８ｂにより、磁石による吸着が妨げられることはない。
【符号の説明】
【００２３】
１０    保護ケース
１１    底壁
１２    側壁
１３    収容部
１４    挿入孔
１５    クリップ
１６ａ、１６ｂ  磁石
１７ａ、１７ｂ、１８ａ、１８ｂ  保持片
２１、２２  テストリードのプローブ部
２３    テストリードのケーブル
１００    測定器
【図１】
2020003243.tif 000003
【図２】
2020003243.tif 000004
【図３】
2020003243.tif 000005
【図４】
2020003243.tif 000006
【図５】
2020003243.tif 000007
【図６】
2020003243.tif 000008
【図７】
2020003243.tif 000009
【図８】
2020003243.tif 000010
【図９】
2020003243.tif 000011
【図１０】
2020003243.tif 000012
【図１１】
2020003243.tif 000013
【図１２】
2020003243.tif 000014